(57)【要約】【課題】コストを抑えつつ汎用性のあるワイヤーハーネスの分岐部の保護構造体を提供する。【解決手段】ワイヤーハーネスの分岐部の保護構造１は、ワイヤーハーネス１００の幹線１０１から支線１０２を分岐する分岐部１０３と、分岐部１０３までの幹線１０１を外装する第１コルゲートチューブ１１を有し、第１コルゲートチューブ１１は、略円筒状に形成されるとともに、第１コルゲートチューブ１１の端部において、軸方向Ｌに沿って切り欠き部１４が形成され、切り欠き部１４には支線１０２がはまり込む。【選択図】図２
2009232533.tif 000002
【特許請求の範囲】
【請求項１】
ワイヤーハーネスの幹線から支線を分岐する分岐部と、前記分岐部までの前記幹線を外装する第１コルゲートチューブを有し、
前記第１コルゲートチューブは、略円筒状に形成されるとともに、前記第１コルゲートチューブの端部において、軸方向に沿って切り欠き部が形成され、前記切り欠き部には前記支線がはまり込むことを特徴とするワイヤーハーネスの分岐部の保護構造。
【請求項２】
前記幹線における前記分岐部から先端側を外装する第２コルゲートチューブを有し、
前記第２コルゲートチューブは、略円筒状に形成されるとともに、前記第２コルゲートチューブの端部から前記第１コルゲートチューブの前記切り欠き部に対応する突起部が形成され、前記切り欠き部と前記突起部とが合わされて前記幹線の周囲を略覆うように構成されていることを特徴とする請求項１に記載のワイヤーハーネスの分岐部の保護構造。
【請求項３】
コルゲートチューブの一部で形成されて前記切り欠き部に対応した覆い部を有し、
前記切り欠き部と前記覆い部とが合わされて前記幹線の周囲を略覆うように構成されていることを特徴とする請求項１に記載のワイヤーハーネスの分岐部の保護構造。
【請求項４】
前記支線を外装する第３コルゲートチューブを有し、
前記第３コルゲートチューブの先端は複数の股部を有するように形成され、前記複数の股部が、前記幹線の周囲を覆うように留め付けられていることを特徴とする請求項１〜請求項３のいずれか１つの項に記載のワイヤーハーネスの分岐部の保護構造。
【発明の詳細な説明】
【技術分野】
【０００１】
本発明は、ワイヤーハーネスの分岐部の保護構造に関し、特に汎用性を有するワイヤーハーネスの分岐部の保護構造に関する。
【背景技術】
【０００２】
一般に、自動車等の車に配索するワイヤーハーネスは、円筒状のコルゲートチューブにより外装することで、他の部材との干渉による損傷を防止している。
また、ワイヤーハーネスが幹線から支線に分岐する分岐部において、支線が干渉してコルゲートチューブを外装することができないことから、分岐部用の別部材を設けることが一般的である（例えば、特許文献１参照）。特許文献１では、Ｔ字型の分岐部における損傷を防止するために、分岐部の形状に合わせたＴ字型の継手部材を設けている。
【特許文献１】特開平１０−８４６１１号公報
【発明の開示】
【発明が解決しようとする課題】
【０００３】
しかしながら、特許文献１に記載の技術では、分岐部の保護のために別部材を設ける場合には、部品点数の増加を招き、コストアップにつながるという問題がある。また、継手部材は予め分岐部に対応する形状で作製する必要があり、分岐部の形状が異なる場合、例えば１つの分岐部において支線が複数方向に分岐している場合等には対応できない。このため、従来のＴ字型の継手部材は汎用性が無いという問題がある。
そこで、本発明は上記課題を解消するために、コストを抑えつつ汎用性のあるワイヤーハーネスの分岐部の保護構造を提供することを目的とする。
【課題を解決するための手段】
【０００４】
上記課題を解消するために、本発明のワイヤーハーネスの分岐部の保護構造は、ワイヤーハーネスの幹線から支線を分岐する分岐部と、前記分岐部までの前記幹線を外装する第１コルゲートチューブを有し、
前記第１コルゲートチューブは、略円筒状に形成されるとともに、前記第１コルゲートチューブの端部において、軸方向に沿って切り欠き部が形成され、前記切り欠き部には前記支線がはまり込むことを特徴とする。
【０００５】
本発明のワイヤーハーネスの分岐部の保護構造は、好ましくは前記幹線における前記分岐部から先端側を外装する第２コルゲートチューブを有し、前記第２コルゲートチューブは、略円筒状に形成されるとともに、前記第２コルゲートチューブの端部から前記第１コルゲートチューブの前記切り欠き部に対応する突起部が形成され、前記切り欠き部と前記突起部とが合わされて前記幹線の周囲を略覆うように構成されていることを特徴とする。
【０００６】
本発明のワイヤーハーネスの分岐部の保護構造は、好ましくはコルゲートチューブの一部で形成されて前記切り欠き部に対応した覆い部を有し、前記切り欠き部と前記覆い部とが合わされて前記幹線の周囲を略覆うように構成されていることを特徴とする。
本発明のワイヤーハーネスの分岐部の保護構造は、好ましくは前記支線を外装する第３コルゲートチューブを有し、前記第３コルゲートチューブの先端は複数の股部を有するように形成され、前記複数の股部が、前記幹線の周囲を覆うように留め付けられていることを特徴とする。
【発明の効果】
【０００７】
本発明によれば、コストを抑えつつ汎用性のあるワイヤーハーネスの分岐部の保護構造を提供できる。
【発明を実施するための最良の形態】
【０００８】
以下、図面を参照して、本発明の好ましい実施形態を詳細に説明する。  
図１は、本発明のワイヤーハーネスの分岐部の保護構造の好ましい実施形態を示しており、図１では、ワイヤーハーネスの分岐部の保護構造１がワイヤーハーネス１００に対して取り付けられる前の状態を示し、図２では、ワイヤーハーネスの分岐部の保護構造１がワイヤーハーネス１００に対して取り付けられた後の状態を示している。
【０００９】
図１に示すように、ワイヤーハーネスの分岐部の保護構造１は、第１コルゲートチューブ１１と、第２コルゲートチューブ１２を有している。ワイヤーハーネス１００は、幹線１０１と、支線（枝線とも言う）１０２と、ワイヤーハーネス１００の幹線１０１から支線１０２を分岐する分岐部１０３を有する。このワイヤーハーネスの分岐部の保護構造１は、分岐部１０３と、分岐部１０３までの幹線１０１を外装することにより保護する。
【００１０】
第１コルゲートチューブ１１は、略円筒状に形成されており、分岐部１０３に至る幹線１０１の部分１０４を外装して覆うようになっている。第１コルゲートチューブ１１の端部１３には、軸方向Ｌに沿って切り欠き部１４が形成されている。この切り欠き部１４には支線１０２がはまり込むようになっている。
【００１１】
これに対して、第２コルゲートチューブ１２は、幹線１０１における分岐部１０３から先端側の部分１０５側を外装して覆うようになっている。
第２コルゲートチューブ１２は、略円筒状に形成されるとともに、第２コルゲートチューブ１２の端部１５から突起部１６が軸方向Ｌに沿って形成されている。この突起部１６は、第１コルゲートチューブ１１の切り欠き部１４に対応する形状を有しており、切り欠き部１４と突起部１６とが合わされて幹線１０１の周囲を略覆うように構成されている。
【００１２】
次に、図１と図２を参照して、ワイヤーハーネスの分岐部の保護構造１の取付手順を説明する。
図１に示すように、第１コルゲートチューブ１１がワイヤーハーネス１００の幹線１０１に対して、矢印Ｐ１方向に挿入される。これにより、図２に示すように、幹線１０１の部分１０４が第１コルゲートチューブ１１により外装されて覆われると共に、支線１０２が切り欠き部１４内に位置される。次に、図１に示すように、第２コルゲートチューブ１２がワイヤーハーネス１００の幹線１０１に対して、矢印Ｐ２方向に挿入される。
【００１３】
これにより、図２に示すように、幹線１０１の部分１０５が第２コルゲートチューブ１２により外装されて覆われる。しかも、第２コルゲートチューブ１２の突起部１６が切り欠き部１４に合わされることにより、分岐部１０３の周辺は包囲することができ、分岐部１０３の保護作業が効率良く行える。
その後、必要に応じて、図２に示す粘着テープ２０が突起部１６と切り欠き部１４の周囲に巻き付けられて、第１コルゲートチューブ１１と第２コルゲートチューブ１２を固定する。
【００１４】
図３は、本発明のワイヤーハーネスの分岐部の保護構造１が、別の構造のワイヤーハーネス１００の分岐部１０３Ｂを保護する例を示している。
図３に示す例では、分岐部１０３Ｂでは、幹線１０１から３本の支線１０２Ｂが分岐されている。３本の支線１０２Ｂは切り欠き部１４にはめ込まれている。このように、分岐形状が異なる場合であっても、ワイヤーハーネスの分岐部の保護構造１は分岐部１０３Ｂを保護することができる。
【００１５】
図４は、本発明のワイヤーハーネスの分岐部の保護構造の別の実施形態を示している。図４に示すワイヤーハーネスの分岐部の保護構造１Ｂは、第１コルゲートチューブ１１と別のコルゲートチューブ３０と、さらに別部材の覆い部３１を有している。
第１コルゲートチューブ１１は図１に示す第１コルゲートチューブ１１と同様のものである。別のコルゲートチューブ３０は、通常の形状の端部３２を有する。
【００１６】
別部材の覆い部３１は、コルゲートチューブの一部を切り取ることで形成されており、別部材の覆い部３１の形状は、第１コルゲートチューブ１１の切り欠き部１４の形状に対応している。このため、切り欠き部１４と覆い部３１とが合わされて、幹線１０１の周囲を略覆うように構成されている。第１コルゲートチューブ１１と覆い部３１とによって、分岐部１０３の周辺を確実に包囲することができる。従って、分岐部１０３の保護をより確実にすることができる。
【００１７】
図５と図６は、本発明のワイヤーハーネスの分岐部の保護構造のさらに別の実施形態を示している。
図５と図６では、図１に示すワイヤーハーネスの分岐部の保護構造１の第１コルゲートチューブ１１と第２コルゲートチューブ１２が、幹線１０１と分岐部１０３を覆っている。さらに、支線１０２には、この支線１０２を外装するために第３コルゲートチューブ４０が用いられている。第３コルゲートチューブ４０の先端４１は二股部４２，４３に形成されている。
【００１８】
図６に示すように、この二股部４２，４３が、幹線１０１の周囲を覆うように第１コルゲートチューブ１１の外周面に対して、すなわち幹線１０１の周囲に対応する位置に留め付けられている。第３コルゲートチューブ４０が、分岐部１０３において支線１０２側から幹線１０１側まで覆うように形成されているので、支線１０２の保護ができ、分岐部１０３の周辺を確実に包囲することができる。従って、分岐部１０３の保護をより確実にすることができる。
【００１９】
図７（Ａ）は、本発明のワイヤーハーネスの分岐部の保護構造のさらに別の実施形態を示している。
図７（Ａ）に示すワイヤーハーネス１００Ｂは、幹線１０１と２本の支線１０２，１０２Ｃを有しており、分岐部１０３Ｃはほぼ十字型に形成されている。支線１０２には、図６に示す第３コルゲートチューブ４０が外装されているが、もう１つの支線１０２Ｃには、別の第３コルゲートチューブ４９が外装されている。第３コルゲートチューブ４９の二股部４７，４８は、第３コルゲートチューブ４０の二股部４２，４３に対してそれぞれ重ねるようにして固定されている。
これにより、支線１０２と支線１０２Ｃの保護ができ、分岐部１０３Ｃの周辺を確実に包囲することができる。従って、分岐部１０３の保護をより確実にすることができる。
第３コルゲートチューブは、このような十字型の分岐部１０３Ｃの他に、図７（Ｂ）に示すように３本の支線１０２，１０２Ｃ、１０Ｄを有する場合や、図７（Ｃ）に示すように４本の支線１０２，１０２Ｃ、１０Ｄ、１０２Ｅを有する場合であっても適用できる。
【００２０】
図８は、本発明のワイヤーハーネスの分岐部の保護構造のさらに別の実施形態を示している。
図８では、第３コルゲートチューブ５０の先端部５１が、三つ股部５２，５３，５４を有している。１つの分岐部１０３において２以上の支線１０２，１０２Ｂがある場合に、例えば２つの股部５２，５４が第１コルゲートチューブ１１の外周面に固定されることで分岐部１０３を保護し、残りの１つの股部５３が第１コルゲートチューブ１１の外周面に固定されることで、第３コルゲートチューブ５０の位置決めが行える。
【００２１】
本発明のワイヤーハーネスの分岐部の保護構造は、ワイヤーハーネスの幹線から支線を分岐する分岐部と、分岐部までの幹線を外装する第１コルゲートチューブを有し、第１コルゲートチューブは、略円筒状に形成されるとともに、第１コルゲートチューブの端部において、軸方向に沿って切り欠き部が形成され、切り欠き部には支線がはまり込む。
【００２２】
すなわち、第１コルゲートチューブの端部に形成された切り欠き部にワイヤーハーネスの支線がはまり込むように構成されているので、幹線の分岐部の近傍は、幹線用の第１コルゲートチューブによって覆われる。これにより、別部品を設けることなく分岐部を保護できるため、従来よりもコストを抑えることができる。また、第１コルゲートチューブには切り欠き部が形成されているだけなので、分岐部の形状に関わらずに対応することができ、汎用性を持たせることができる。
【００２３】
本発明のワイヤーハーネスの分岐部の保護構造は、幹線における分岐部から先端側を外装する第２コルゲートチューブを有し、第２コルゲートチューブは、略円筒状に形成されるとともに、第２コルゲートチューブの端部から第１コルゲートチューブの切り欠き部に対応する突起部が形成され、切り欠き部と突起部とが合わされて幹線の周囲を略覆うように構成されている。
【００２４】
これにより、第２コルゲートチューブの突起部と第１コルゲートチューブの切り欠き部とを合わせることで、幹線の周囲を略覆うように構成しているので、分岐部の周辺を確実に包囲することができる。従って、分岐部の保護をより確実にすることができる。
【００２５】
コルゲートチューブの一部で形成されて切り欠き部に対応した覆い部を有し、切り欠き部と覆い部とが合わされて幹線の周囲を略覆うように構成されている。
これにより、第１コルゲートチューブと覆い部とによって、分岐部の周辺を確実に包囲することができる。従って、分岐部の保護をより確実にすることができる。
【００２６】
支線を外装する第３コルゲートチューブを有し、第３コルゲートチューブの先端は複数の股部を有するように形成され、複数の股部が、幹線の周囲を覆うように留め付けられている。
これにより、第３コルゲートチューブが、分岐部において支線側から幹線側まで覆うように形成されているので、分岐部の周辺を確実に包囲することができる。従って、分岐部の保護をより確実にすることができる。
ところで、本発明は、上記実施形態に限定されず種々の変形例を採用できる。
【図面の簡単な説明】
【００２７】
【図１】本発明のワイヤーハーネスの分岐部の保護構造の好ましい実施形態を示しており、ワイヤーハーネスの分岐部の保護構造がワイヤーハーネスに対して取り付けられる前の状態を示す斜視図である。
【図２】ワイヤーハーネスの分岐部の保護構造がワイヤーハーネス１００に対して取り付けられた後の状態を示す斜視図である。
【図３】図１に示すワイヤーハーネスの分岐部の保護構造の別の適用例を示す図である。
【図４】本発明のワイヤーハーネスの分岐部の保護構造の別の実施形態を示す図である。
【図５】本発明の別の実施形態を示す図である。
【図６】本発明の別の実施形態を示す図である。
【図７】本発明の別の実施形態を示す図である。
【図８】本発明の別の実施形態を示す図である。
【符号の説明】
【００２８】
１              ワイヤーハーネスの分岐部の保護構造
１１            第１コルゲートチューブ
１２            第２コルゲートチューブ
１４            切り欠き部
１６            突起部
１００          ワイヤーハーネス
１０１          幹線
１０２          支線
１０３          分岐部
【図１】
2009232533.tif 000003
【図２】
2009232533.tif 000004
【図３】
2009232533.tif 000005
【図４】
2009232533.tif 000006
【図５】
2009232533.tif 000007
【図６】
2009232533.tif 000008
【図７】
2009232533.tif 000009
【図８】
2009232533.tif 000010